(57)【特許請求の範囲】
【請求項１】
顧客の操作により入力された人数及び券種に基づいて発券する券売機において、
前記人数及び券種を記憶する記憶部と、
前記券種に基づき一人分の全券種を重ねて発券し、
前記人数が二人以上の場合には、前記一人分の全券種が受け取られたことが検知されると、前記券種を最初から発券して次の一人分の全券種の発券を行う発券処理部とを備えたことを特徴とする券売機。
【請求項２】
前記発券処理部は、さらにタイマとセンサとを有し、前記一人分の発券を行う毎にタイマを動作させ、タイマアウトに達する前に券が受け取られたことをセンサにより検知して次の発券を行い、タイマアウトに達した場合には装置内に取り込んで次の発券を行う請求項１記載の券売機。
【発明の詳細な説明】
【０００１】
【発明の属する技術分野】
本発明は券売機と発券方法とに関する。
【０００２】
【従来の技術】
従来、券売機は駅や劇場等に設置され、顧客の操作により入力された人数及び券種に基づいて複数の券種を発券している。例えば、往復切符を電車に乗って東京−高崎間を往復する場合、往復切符を大人３人分入力すると、その発券方法は先ず「行き」の切符を３枚発券し、続いて「帰り」の切符を３枚発券する。
【０００３】
【発明が解決しようとする課題】
従来の券売機にあっては、顧客が人数と券種とを入力すると、券種毎に人数分発券されるので、配券する人が券種毎に自分の分を一枚とって残りを配券する動作を繰り返さなければならず、面倒という問題点があった。
【０００４】
本発明は複数の券種を人数分配券する動作を１回で済ませる券売機と発券方法とを提供することを目的としている。
【０００５】
【課題を解決するための手段】
上記目的を達成するために本発明は、券種を一枚づつ順に発券し、最後の券種を発券したのち、所定の要件に基づいて最初の券種から一枚づつ順に発券し、所定の要件が満たされるまで発券を繰り返す発券方法とし、具体的手段として、人数及び券種を記憶する記憶部と、記憶してある券種を一枚づつ順に発券し、最後の券種を発券したのち、記憶してある人数が二人以上の場合には最初の券種から一枚づつ順に発券して人数分発券を繰り返す発券処理部とを備える。
【０００６】
【発明の実施の形態】
本発明の実施の形態について図面を参照しながら説明する。尚、各図面に共通な要素には同一符号を付す。
第１の実施の形態
図２は第１の実施の形態による券売機の外観斜視図、図３は顧客操作部の詳細図である。券売機１の前面側には、顧客操作部２、紙幣挿入口３、硬貨投入口４、券排出口５等が配置してある。
【０００７】
顧客操作部２には、タッチパネル６、操作ボタン７が設けてある。タッチパネル６には操作案内、タッチキ−が表示される。操作ボタン７には、図３に示すように、大人、子供の人数を入力する人数選択ボタン７ａ、乗車券、往復乗車券、グリ−ン券等を入力する券種選択ボタン７ｂが設けてある。
【０００８】
図１は第１の実施の形態による券売機の制御ブロック図である。制御部８には硬貨ユニット９、紙幣ユニット１０、発券ユニット１１、顧客操作部２が接続されており、図２に示した券売機１の内部に配置されてある。
【０００９】
紙幣挿入口３から挿入された紙幣は紙幣ユニット１０に取り込まれ、硬貨投入口４から投入された硬貨は硬貨ユニット９に取り込まれる。発券ユニット１１から発券された券は券排出口５に排出される。
【００１０】
制御部８は中央処理装置１２（以後ＣＰＵ１２と記す）とメモリ１３とを有し、メモリ１３には大人の人数記憶エリア１３ａ、子供の人数記憶エリア１３ｂ、券種記憶エリア１３ｃ等が設けてある。ＣＰＵ１２は操作処理部１２ａとして顧客操作部２から入力された大人の人数、子供の人数を大人の人数記憶エリア１３ａ、子供の人数記憶エリア１３ｂ、に格納し、券種を券種記憶エリア１３ｃに格納する。
【００１１】
また、ＣＰＵ１２は発券処理部１２ｂとして紙幣ユニット１０、硬貨ユニット９からの入金金額がメモリ１３に格納してある大人の人数、子供の人数と行き先と券種から求めた合計金額以上の場合には発券ユニット１１を通じて発券処理を行う。尚、当駅から行き先までの大人、子供の料金はメモリ１３にテ−ブルとして格納してある。
【００１２】
図４は第１の実施の形態による発券動作を示すフロ−チャ−トである。顧客は、例えば、東京−高崎間の往復切符を大人２人分、子供２人分購入するために、顧客操作部２のタッチパネル６を操作し、操作案内に基づいて操作ボタン７を押下する。
【００１３】
ステップＳ1 でＣＰＵ１２は行き先、人数、券種が入力されたか否かをチェックしており、行き先と人数と券種とが入力された場合には東京、大人２人、子供２人、往復切符をメモリ１３に格納する。
【００１４】
ステップＳ2 でＣＰＵ１２は東京−高崎間の往復切符大人２人分、子供２人分の合計金額を算出してタッチパネル６に表示し、入金を促す。
【００１５】
ステップＳ3 でＣＰＵ１２は東京−高崎間の往復切符大人２人分、子供２人分の合計金額と紙幣ユニット１０、硬貨ユニット９からの入金金額と比較し、入金金額が切符の合計金額以上の場合にはステップＳ4 に分岐し、否の場合にはステップＳ9 に分岐する。
【００１６】
ステップＳ4 でＣＰＵ１２は券種が複数で人数が２人以上か否かをチェックし、券種が複数で人数が２人以上の場合にはステップＳ5 に分岐し、否の場合にはステップＳ10に分岐する。
【００１７】
ステップＳ5 でＣＰＵ１２は大人の乗車券か否かをチェックし、大人の乗車券の場合にはステップＳ6 に分岐し、否の場合にはステップＳ11に分岐する。
【００１８】
ステップＳ6 でＣＰＵ１２は、先ず「行き」の大人切符を一枚発券し、ステップＳ7 で「帰り」の大人切符を一枚発券する。
【００１９】
ステップＳ8 でＣＰＵ１２は、大人の人数分発券したか否かをチェックし、人数分発券した場合にはステップＳ5 に分岐し、否の場合にはステップＳ6 に分岐する。
【００２０】
ステップＳ11に分岐した場合には、子供の乗車券か否かをチェックし、子供の乗車券の場合にはステップＳ12に分岐し、否の場合には処理を終了する。
【００２１】
ステップＳ12でＣＰＵ１２は、先ず「行き」の子供切符を一枚発券し、ステップＳ13で「帰り」の子供切符を一枚発券する。
【００２２】
ステップＳ14でＣＰＵ１２は、子供の人数分発券したか否かをチェックし、人数分発券した場合には発券処理を終了し、否の場合にはステップＳ12に分岐する。  ステップＳ9 に分岐した場合には入金不足を通知してステップＳ3 に戻り、ステップＳ10に分岐した場合には券種が単数で人数が２人以上か、券種が複数で人数が１人か、券種が単数で人数が１人かであるから通常の発券処理を行ったのち、発券処理を終了する。
【００２３】
本実施の形態では、往復切符を大人２人分、子供２人分購入する例としたが、券種としてさらに特急券が入力された場合には、「行き」、「帰り」の乗車券に特急券が２枚重ねて発券するステップを付加する。
【００２４】
第１の実施の形態によれば、各人の全ての券を重ねて発券するようにしたので、券の配分が容易になり、券を購入する顧客の利便性を向上させる。
【００２５】
第２の実施の形態
図５は第２の実施の形態による券売機の制御ブロック図であり、第１の実施の形態による券売機の制御ブロック図と異なるところは、タイマとセンサが付加された点である。センサは券排出口５に設けられ、発券された券の有無を検出して発券処理部に知らせる。
【００２６】
発券ユニットには、人数分毎に券（複数枚）をセットに組み合わせる機構が設けてある。発券処理部は発券ユニットを通じてこのセットにされた券を発券し、センサを通じて券が券排出口５に排出されたことを検知し、タイマをスタ−トさせる。そして、タイマがタイムアウトになるまで顧客が券を受け取ったか否かをセンサを通じて検知している。
【００２７】
タイマがタイムアウトになった場合には、その券を装置内の券取り込みボックスに取り込み、次の発券処理に入る。
【００２８】
図６は第２の実施の形態による発券動作を示すフロ−チャ−ト（１）、図７は第２の実施の形態による発券動作を示すフロ−チャ−ト（２）であり、第１の実施の形態と異なるところは、一人目の各券種を一枚づつ順に発券し、最後の券種を発券したところで、発券を停止し、確認ボタンを押下されたのち、最初の券種に戻って人数分発券を繰り返すようにした点である。
【００２９】
顧客は、例えば、東京−高崎間の往復切符を大人２人分、子供２人分購入するために、顧客操作部２のタッチパネル６を操作し、操作案内に基づいて操作ボタン７を押下する。
【００３０】
ステップＳ1 でＣＰＵ１２は行き先、人数、券種が入力されたか否かをチェックしており、行き先と人数と券種とが入力された場合には東京、大人２人、子供２人、往復切符をメモリ１３に格納する。
【００３１】
ステップＳ2 でＣＰＵ１２は東京−高崎間の往復切符大人２人分、子供２人分の合計金額を算出してタッチパネル６に表示し、入金を促す。
【００３２】
ステップＳ3 でＣＰＵ１２は東京−高崎間の往復切符大人２人分、子供２人分の合計金額と紙幣ユニット１０、硬貨ユニット９からの入金金額と比較し、入金金額が切符の合計金額以上の場合にはステップＳ4 に分岐し、否の場合にはステップＳ9 に分岐する。
【００３３】
ステップＳ4 でＣＰＵ１２は券種が複数で人数が２以上か否かをチェックし、券種が複数で人数が２以上の場合にはステップＳ5 に分岐し、否の場合にはステップＳ10に分岐する。
【００３４】
ステップＳ5 でＣＰＵ１２は大人の乗車券か否かをチェックし、大人の乗車券の場合にはステップＳ6 に分岐し、否の場合にはステップＳ14に分岐する。
【００３５】
ステップＳ6 でＣＰＵ１２は、先ず「行き」の大人切符を一枚発券し、ステップＳ7 で「帰り」の大人切符を一枚発券する。
【００３６】
ステップＳ8 でＣＰＵ１２は、券を受け取った否かをチェックしており、券を受け取った場合にはステップＳ9 に分岐し、否の場合にはステップＳ12に分岐する。
【００３７】
ステップＳ9 でＣＰＵ１２は、大人の人数分発券したか否かをチェックし、人数分発券した場合にはステップＳ5 に分岐し、否の場合にはステップＳ6 に分岐する。
【００３８】
ステップＳ12に分岐した場合にはタイムアウトになったか否かをチェックしており、タイムアウトになった場合にはステップＳ13に分岐し、否の場合にはステップＳ8 に分岐する。
【００３９】
ステップＳ13でＣＰＵ１２は、券を装置内の券取り込みボックスに取り込み、ステップＳ9 に移る。
【００４０】
ステップＳ5 からステップＳ14に分岐した場合には、子供の乗車券か否かをチェックし、子供の乗車券の場合にはステップＳ15に分岐し、否の場合には処理を終了する。
【００４１】
ステップＳ15でＣＰＵ１２は、先ず「行き」の子供切符を一枚発券し、ステップＳ16で「帰り」の子供切符を一枚発券する。
【００４２】
ステップＳ17でＣＰＵ１２は、券を受け取った否かをチェックしており、券を受け取った場合にはステップＳ18に分岐し、否の場合にはステップＳ19に分岐する。
【００４３】
ステップＳ18でＣＰＵ１２は、子供の人数分発券したか否かをチェックし、人数分発券した場合には処理を終了し、否の場合にはステップＳ15に分岐する。
【００４４】
ステップＳ19に分岐した場合にはタイムアウトになったか否かをチェックしており、タイムアウトになった場合にはステップＳ20に分岐し、否の場合にはステップＳ17に分岐する。
【００４５】
ステップＳ20でＣＰＵ１２は、券を装置内の券取り込みボックスに取り込み、ステップＳ18に移る。
【００４６】
ステップＳ3 からステップＳ10に分岐した場合には入金不足を通知してステップＳ3 に戻り、ステップＳ4 からステップＳ11に分岐した場合には券種が単数で人数が２人以上か、券種が複数で人数が１人か、券種が単数で人数が１人かであるから通常の発券処理を行ったのち、発券処理を終了する。
【００４７】
第２の実施の形態によれば、各人の全ての券を重ねて発券し、各人が受取る毎に発券するようにしたので、券を配分する顧客の利便性を向上させる。
【００４８】
第１及び第２の実施の形態においては、券種の異なる発券を繰り返す要件を人数としたが、券の大小としてもよい。この場合、大きい券の上に小さい券が発券されるようにすれば、券を配分し易くなる。
【００４９】
尚、本実施の形態では、電車の切符を例にとって説明したが、一人につき複数枚の券を発券する場合ならば、企画券でも、乗り継ぎ券でも運用できる。
【００５０】
【発明の効果】
本発明は、以上説明したように構成されているので以下に記載される効果を奏する。
人数及び券種を記憶する記憶部と、記憶してある券種を一枚づつ順に発券し、最後の券種を発券したのち、記憶してある人数が二人以上の場合には最初の券種から一枚づつ順に発券して人数分発券を繰り返す発券処理部とを備えたことにより、発券後、券排出口から券を受取って上から枚数を数えて各人に券を配分すればよいので、複数の券種を人数分配券する動作を１回で済ませることができ、券を配分する顧客の利便性を向上させる。
【図面の簡単な説明】
【図１】第１の実施の形態による券売機の制御ブロック図である。
【図２】券売機の外観斜視図である。
【図３】顧客操作部の詳細図である。
【図４】第１の実施の形態による発券動作を示すフロ−チャ−トである。
【図５】第２の実施の形態による券売機の制御ブロック図である。
【図６】第２の実施の形態による発券動作を示すフロ−チャ−ト（１）である。
【図７】第２の実施の形態による発券動作を示すフロ−チャ−ト（２）である。
【符号の説明】
１  券売機
２  顧客操作部
１２ｂ  発券処理部
【図１】
0003848032.tif 000002
【図２】
0003848032.tif 000003
【図３】
0003848032.tif 000004
【図４】
0003848032.tif 000005
【図５】
0003848032.tif 000006
【図６】
0003848032.tif 000007
【図７】
0003848032.tif 000008